(57)【要約】【課題】安価な装置を使用するにも拘わらず、安全にかつ効率よく室内を除菌・消臭することができる除菌・消臭方法を提供する。【解決手段】所定の有効塩素濃度の次亜塩素酸を含みｐＨが３．０〜７．０に調整された薬液（２２）を調製する。薬液を空気に接触（Ｙ２）させて、空気中に次亜塩素酸を蒸散させる。このとき、薬液は液相に維持した状態にして、すなわち霧状にしないようにして空気に接触させる。そして、得られた次亜塩素酸を含んだ空気を所定のエリアに送風（Ｙ３）して該エリアを除菌・消臭する。【選択図】図１
2011050702.tif 000002
【特許請求の範囲】
【請求項１】
所定の有効塩素濃度の次亜塩素酸を含みｐＨが３．０〜７．０に調整された薬液を空気に接触させるとき、該薬液が液相に維持された状態で接触させて、前記空気中に次亜塩素酸を蒸散させ、得られた次亜塩素酸を含んだ空気を所定のエリアに送風して該エリアを除菌・消臭することを特徴とする除菌・消臭方法。
【請求項２】
請求項１に記載の除菌・消臭方法において、前記薬液を前記空気に接触させるとき、前記薬液は直列に接続された複数槽の薬液槽を所定時間滞留させながら流下させ、前記空気は前記薬液の流れと反対方向から前記薬液槽の液面と平行に吹き付けるようにして実施することを特徴とする除菌・消臭方法。
【請求項３】
請求項１に記載の除菌・消臭方法において、前記薬液を前記空気に接触させるとき、前記空気は所定の風速で水平方向に送風し、前記薬液は直径５０μｍ以上の液滴にして前記空気中を落下させるようにして実施することを特徴とする除菌・消臭方法。
【請求項４】
請求項３に記載の除菌・消臭方法において、前記薬液と接触させた空気は、所定の網でフィルタリングして、前記空気に含まれる前記液滴を除去した後に前記エリアに放出することを特徴とする除菌・消臭方法。
【請求項５】
請求項１に記載の除菌・消臭方法において、前記薬液を前記空気に接触させるとき、複数本の芯材と該芯材を覆う布またはスポンジからなり垂直に立てられた複数本の棒状を呈する薬液流下体の上部に前記薬液を供給して、前記薬液を前記薬液流下体に沿って流下させ、前記空気は前記薬液流下体に吹き付けるようにして実施することを特徴とする除菌・消臭方法。
【請求項６】
請求項１〜５のいずれかの項に記載の除菌・消臭方法において、前記薬液を前記空気に接触させて得られた前記次亜塩素酸を含んだ空気を、空調機、加湿器または空気清浄機の送風口に供給して、前記次亜塩素酸を含んだ空気と前記送風口から送風される空気がブレンドされて送風されるようにすることを特徴とする除菌・消臭方法。
【請求項７】
外部から空気を取り込む吸入口と外部に空気を送風する送風口が設けられた所定の薬剤蒸散室と、前記薬剤蒸散室内に設けられている直列に接続された複数槽の薬液槽と、前記吸入口または前記送風口に設けられている送風機とから構成され、
前記吸入口と前記送風口は、それぞれ前記複数槽の薬液槽の最下流の槽と最上流の槽の近傍に設けられ、
前記送風機が駆動され、そして前記最上流の槽に所定の有効塩素濃度の次亜塩素酸を含みｐＨが３．０〜７．０に調整された薬液が供給されると、前記薬液は前記複数槽の薬液槽を所定の滞留時間を経て順次下流側に流れ、前記吸入口から吸入された空気は、前記薬液の流れと反対の方向に流れて前記複数槽の薬液槽の液面と接触して、前記送風口から外部に送風されることを特徴とする除菌・消臭装置。
【請求項８】
外部から空気を取り込む吸入口と外部に空気を送風する送風口が設けられた所定の薬剤蒸散室と、前記薬剤蒸散室内の所定の高さに設けられ薬液を液滴にして落下させるノズルと、前記薬剤蒸散室内に設けられ前記液滴を受ける受液プレートと、前記吸入口または前記送風口に設けられている送風機とから構成され、
前記送風機が駆動され、そして所定の有効塩素濃度の次亜塩素酸を含みｐＨが３．０〜７．０に調整された薬液が前記ノズルに供給されると、前記薬液は直径５０μｍ以上の液滴になって前記吸入口から吸入された空気中を落下して、前記受液プレートに落下し、前記液滴と接触した前記空気が前記送風口から外部に送風されることを特徴とする除菌・消臭装置。
【請求項９】
請求項８に記載の除菌・消臭装置において、前記薬剤蒸散室内には前記ノズルの下流に所定の網が設けられ、前記液滴と接触した前記空気が前記網によってフィルタリングされ、前記空気中に含まれる前記液滴が除去された後に前記エリアに放出されるようになっていることを特徴とする除菌・消臭装置。
【請求項１０】
外部から空気を取り込む吸入口と外部に空気を送風する送風口が設けられた所定の薬剤蒸散室と、前記薬剤蒸散室内に設けられ薬液を流下させる所定の形状の薬液流下体と、前記薬剤蒸散室内に設けられ前記薬液流下体を流下する薬液を受ける受液プレートと、前記吸入口または前記送風口に設けられている送風機とから構成され、
前記薬液流下体は、複数本の芯材と該芯材を覆う布またはスポンジとから垂直に立てられた複数本の棒状を呈するように形成され、
前記送風機が駆動され、そして所定の有効塩素濃度の次亜塩素酸を含みｐＨが３．０〜７．０に調整された薬液が前記薬液流下体の上部に供給されると、前記薬液は前記薬液流下体に沿って流下して、前記吸入口から吸入された空気は、前記薬液流下体を流下する前記薬液と接触して、前記送風口から外部に送風されることを特徴とする除菌・消臭装置。
【請求項１１】
請求項７〜１０のいずれかの項に記載の除菌・消臭装置において、前記送風口は、空調機、加湿器または空気清浄機の送風口近傍に設けられていることを特徴とする除菌・消臭装置。
【発明の詳細な説明】
【技術分野】
【０００１】
本発明は、マンション、住宅等の居住施設、病院、老人ホーム、保育施設等の公共施設、または食品工場、地下街等の所定のエリアに殺菌作用と消臭作用を有する物質を含んだ空気を供給して、該エリアを除菌および消臭する除菌・消臭方法、および除菌・消臭装置に関するものである。
【背景技術】
【０００２】
手術室や、術後の患者を収容する病室においては、免疫力の低下している患者が感染症に感染しないように室内が除菌される。このような除菌方法としては、例えば消毒用アルコールを霧吹きによって直接室内で噴霧して除菌するようなシンプルな方法もあるし、オゾンガス法、紫外線照射法等の、比較的高価な装置を使用して除菌する方法もある。オゾンガス法は、密閉された無人の室内にオゾンガス発生装置によりオゾンガスを供給する方法である。オゾンガスの強力な酸化作用によって室内の空気中に漂っている細菌や、家具、器具等に付着している細菌が除菌されことになる。紫外線照射法は、紫外線照射装置によって室内の家具や器具に紫外線を照射する方法である。紫外線の殺菌作用によって紫外線が照射された部分が除菌されることになる。しかしながら、これらの除菌方法には問題が認められる。例えば、消毒用アルコールを霧吹きによって吹き付ける方法においては、消毒用アルコールの噴霧直後は除菌効果が得られるが、密閉した室内に蒸発したアルコールが滞留していると、アルコール自体が細菌やカビの栄養になってしまって、かえって細菌やカビが増殖してしまうという問題がある。従って、比較的空気の入れ換えが頻繁な救急車の車内の除菌等には適しているが、手術室や病室の除菌に適しているとは必ずしも言えない。オゾンガス法においては、オゾンガスは酸化作用が強力なので、部屋を無人にした後に供給するようにしなければならないので不便であるし、強力な酸化作用によって部屋内の器具が腐食してしまうという重大な問題もある。紫外線照射法においては、紫外線が直接人体に照射されないように留意する必要があるし、紫外線が照射されない陰の部分は除菌されないので、十分な除菌効果が得られないという問題もある。
【０００３】
そこで、細菌やカビの栄養になることのない、次亜塩素酸を含んだ薬液を霧状に噴霧して室内に供給して、屋内を除菌する色々な除菌方法が特許文献１〜３において提案されている。
【先行技術文献】
【特許文献】
【０００４】
【特許文献１】特開２００１−１２９０６１号公報
【特許文献２】特開２００１−２７６８４２号公報
【特許文献３】特開２００４−１４１４２９号公報
【０００５】
特許文献１には、所定のｐＨ４．０〜７．５に調整された次亜塩素酸ナトリウム水溶液からなる薬液を、超音波振動装置を使用して霧状にして、これを空気と攪拌して室内に供給する除菌方法が記載されている。特許文献１に記載の方法によると、薬液には殺菌力の強い次亜塩素酸が５〜２００ｐｐｍ含まれているので、霧状にされた薬液が空気と共に攪拌されて室内に供給されると、室内を効率よく除菌することができる。特許文献２には、塩素イオンを含む水を霧状に噴霧して除菌対象物に噴霧するとき、霧状に噴霧された水に紫外線を照射して次亜塩素酸を生成させ、除菌対象物に次亜塩素酸を含む霧状の水が到達するようにする除菌方法が記載されている。特許文献２によると、単純に次亜塩素酸を含む薬液を噴霧すると、噴霧時に薬液中の次亜塩素酸が所定の割合だけ分解されてしまう問題があるように記載されている。これは、本発明の説明において明らかにされているように、次亜塩素酸が空気中に蒸散される現象について、次亜塩素酸が分解されていると解釈されてしまったようである。いずれにしても、特許文献２に記載の方法によると、噴霧された水に紫外線を照射して次亜塩素酸を生成するので、すなわち噴霧時には分解されてしまう次亜塩素酸は含まれないので、次亜塩素酸が分解されずに除菌に有効に利用されることになる。特許文献３には、亜塩素酸と次亜塩素酸を含む薬液を高圧にして、高圧にされた空気と共にノズルから噴出して、０．２〜２５μｍの霧状にして空気中に放出する除菌方法が記載されている。特許文献３に記載の方法によれば、亜塩素酸や次亜塩素酸は殺菌力が強いので、これらを含む薬液が霧状にされて空気中に放出されると、室内の空気が効率的に除菌されることになる。
【発明の概要】
【発明が解決しようとする課題】
【０００６】
特許文献１〜３に記載の方法によれば、次亜塩素酸を含む霧状の薬液を空気中に噴霧するので、空気を除菌することができるし、このような薬液を除菌対象物に噴霧すると除菌対象物を効率よく除菌することができる。さらには、次亜塩素酸は有機物を分解することもできるので、部屋内を消臭する効果も認められる。そして、次亜塩素酸は人体に対する影響が十分に小さいので、有人の部屋に供給することも可能である。しかしながら、これらの方法には、解決すべき問題も見受けられる。まず、それぞれの方法について個別の問題を説明し、次いで特許文献１〜３に共通する問題点について説明する。
【０００７】
（個別の問題）
特許文献１に記載の方法においては、薬液を霧状にする超音波振動装置が格別に必要になるという問題がある。例えば、病院や老人ホームのように除菌すべき室内が広い場合、大量の薬液を霧状に噴霧する必要があるが、このような大量の薬液を霧状にするには多数の超音波振動装置、または大型の超音波振動装置が必要になってしまう。また、このような薬液中の次亜塩素酸は、有効塩素濃度が５〜２００ｐｐｍと比較的低濃度であるので、十分な除菌効果を得るためには薬液を大量に霧状にする必要がある。そうするとコスト高になってしまう。特許文献２に記載の方法においては、塩素イオンを含み霧状にされた水に紫外線を照射して次亜塩素酸を生成させているが、このような方法で生成される次亜塩素酸は一般的に濃度は高くないし、生成効率も高くない。そうすると、十分な除菌効果を得ようとすると大型の装置が必要になってコスト高になる。特許文献３に記載の方法においては、薬液を高圧にすると共に高圧の空気と共に薬液をノズルから噴射するので、コンプレッサーと加圧ポンプが格別に必要になる。そうすると装置が大型化してしまう。また、適切に薬液が噴霧されるようにするために、コンプレッサーと加圧ポンプの運転を調整する必要があり、高度な制御と調整が必要でありコスト高になってしまう。
【０００８】
（共通の問題）
特許文献１、または３に記載の方法においては、次亜塩素酸を含んだ薬液を霧状にして空気に攪拌し、水分を含んだ状態で部屋の隅々まで到達するようにしている。また、特許文献２に記載の方法においては、霧状の水に次亜塩素酸を生成させたもの、すなわち次亜塩素酸を含んだ薬液を直接除菌対象物に噴霧するようにしている。このように、いずれの方法においても水分を含んだ状態で次亜塩素酸を除菌対象に接触させることを予定している。このように水分を含んだ状態で次亜塩素酸を除菌対象に接触させる点について、これらの文献には明確に理由が記載されていないが、次亜塩素酸に関する従来の知見または推測に基づいてなされているように考えられる。すなわち、次亜塩素酸は水分子がある水中でのみ殺菌力を有するとの知見である。もしくは、次亜塩素酸が蒸発すると下記式のように一酸化二塩素に変化してしまい、十分な殺菌効果が得られなくなってしまうのではないかとの推測である。
２ＨＯＣｌ＝Ｃｌ２Ｏ＋Ｈ２Ｏ                      （式１）
従って、特許文献１〜３においては、次亜塩素酸が単体で空気中に拡散する可能性とその状態における次亜塩素酸の殺菌力については顧みられていない。このため、特許文献１〜３のそれぞれに記載の方法においては、次亜塩素酸を含んだ薬液を霧状に噴霧して空気に攪拌しているが、新たな問題が生じる。すなわち、このような薬液には次亜塩素酸の生成時に必要な塩化ナトリウムが不純物として含まれていたり、薬液のｐＨを調整する塩酸が所定の割合で含まれている。そうすると、不純物の塩化ナトリウムや塩酸も霧状にされて噴霧されるので、室内の金属類が錆びてしまったり、室内を汚染してしまう。さらには、次亜塩素酸が自己分解して生成される塩素酸ナトリウム（ＮａＣｌＯ３）等の毒性の強い物質が薬液中に含まれている場合には、これらが噴霧されて危険でもある。このように、特許文献１〜３のそれぞれの方法によっては、次亜塩素酸のみを室内に供給することができないので、問題が生じてしまう。
【０００９】
本発明は、上記したような問題点に鑑みてなされたものであって、具体的には、安価な装置を使用するにも拘わらず、広い室内であっても効率よく除菌・消臭効果を有する物質を室内の空気に攪拌することができ、人体に対する影響がほとんどなく、従って室内に人がいても実施することができ、そして塩化ナトリウム、塩酸等の金属類を錆びさせたり室内を汚染する物質や、塩素酸ナトリウム等の毒性の強い物質を外部に排出することがなく、安全に除菌・消臭することができる室内の除菌・消臭方法、および除菌・消臭装置を提供することを目的としている。
【課題を解決するための手段】
【００１０】
本発明は、上記目的を達成するために、所定の有効塩素濃度の次亜塩素酸を含みｐＨが３．０〜７．０に調整された薬液を空気に接触させて、空気中に次亜塩素酸を蒸散させる。このとき、薬液は液相に維持した状態にして、すなわち霧状にしないようにして空気に接触させる。そして、得られた次亜塩素酸を含んだ空気を所定のエリアに送風して該エリアを除菌・消臭するように構成する。このようにすると、塩化ナトリウムや塩酸、他の不純物がエリア内を汚染することがない。また、除菌・消臭装置の発明においては、薬液が液相に維持された状態で空気に接触されるように所定の構造を備えた除菌・消臭装置として構成する。
【００１１】
すなわち、請求項１に記載の発明は、上記目的を達成するために、所定の有効塩素濃度の次亜塩素酸を含みｐＨが３．０〜７．０に調整された薬液を空気に接触させるとき、該薬液が液相に維持された状態で接触させて、前記空気中に次亜塩素酸を蒸散させ、得られた次亜塩素酸を含んだ空気を所定のエリアに送風して該エリアを除菌・消臭するように構成される。
請求項２に記載の発明は、請求項１に記載の除菌・消臭方法において、前記薬液を前記空気に接触させるとき、前記薬液は直列に接続された複数槽の薬液槽を所定時間滞留させながら流下させ、前記空気は前記薬液の流れと反対方向から前記薬液槽の液面と平行に吹き付けるように構成される。
そして、請求項３に記載の発明は、請求項１に記載の除菌・消臭方法において、前記薬液を前記空気に接触させるとき、前記空気は所定の風速で水平方向に送風し、前記薬液は直径５０μｍ以上の液滴にして前記空気中を落下させるように構成され、請求項４に記載の発明は、請求項３に記載の除菌・消臭方法において、前記薬液と接触させた空気は、所定の網でフィルタリングして、前記空気に含まれる前記液滴を除去した後に前記エリアに放出するように構成される。
また、請求項５に記載の発明は、請求項１に記載の除菌・消臭方法において、前記薬液を前記空気に接触させるとき、複数本の芯材と該芯材を覆う布またはスポンジからなり垂直に立てられた複数本の棒状を呈する薬液流下体の上部に前記薬液を供給して、前記薬液を前記薬液流下体に沿って流下させ、前記空気は前記薬液流下体に吹き付けるように構成される。
さらには、請求項６に記載の発明は、請求項１〜５のいずれかの項に記載の除菌・消臭方法において、前記薬液を前記空気に接触させて得られた前記次亜塩素酸を含んだ空気を、空調機、加湿器または空気清浄機の送風口に供給して、前記次亜塩素酸を含んだ空気と前記送風口から送風される空気がブレンドされて送風されるように構成される。
【００１２】
請求項７に記載の発明は、外部から空気を取り込む吸入口と外部に空気を送風する送風口が設けられた所定の薬剤蒸散室と、前記薬剤蒸散室内に設けられている直列に接続された複数槽の薬液槽と、前記吸入口または前記送風口に設けられている送風機とから構成され、前記吸入口と前記送風口は、それぞれ前記複数槽の薬液槽の最下流の槽と最上流の槽の近傍に設けられ、前記送風機が駆動され、そして前記最上流の槽に所定の有効塩素濃度の次亜塩素酸を含みｐＨが３．０〜７．０に調整された薬液が供給されると、前記薬液は前記複数槽の薬液槽を所定の滞留時間を経て順次下流側に流れ、前記吸入口から吸入された空気は、前記薬液の流れと反対の方向に流れて前記複数槽の薬液槽の液面と接触して、前記送風口から外部に送風されるように構成される。
請求項８に記載の発明は、外部から空気を取り込む吸入口と外部に空気を送風する送風口が設けられた所定の薬剤蒸散室と、前記薬剤蒸散室内の所定の高さに設けられ薬液を液滴にして落下させるノズルと、前記薬剤蒸散室内に設けられ前記液滴を受ける受液プレートと、前記吸入口または前記送風口に設けられている送風機とから構成され、前記送風機が駆動され、そして所定の有効塩素濃度の次亜塩素酸を含みｐＨが３．０〜７．０に調整された薬液が前記ノズルに供給されると、前記薬液は直径５０μｍ以上の液滴になって前記吸入口から吸入された空気中を落下して、前記受液プレートに落下し、前記液滴と接触した前記空気が前記送風口から外部に送風されるように構成される。
そして、請求項９に記載の発明は、請求項８に記載の除菌・消臭装置において、前記薬剤蒸散室内には前記ノズルの下流に所定の網が設けられ、前記液滴と接触した前記空気が前記網によってフィルタリングされ、前記空気中に含まれる前記液滴が除去された後に前記エリアに放出されるように構成される。
また、請求項１０に記載の発明は、外部から空気を取り込む吸入口と外部に空気を送風する送風口が設けられた所定の薬剤蒸散室と、前記薬剤蒸散室内に設けられ薬液を流下させる所定の形状の薬液流下体と、前記薬剤蒸散室内に設けられ前記薬液流下体を流下する薬液を受ける受液プレートと、前記吸入口または前記送風口に設けられている送風機とから構成され、前記薬液流下体は、複数本の芯材と該芯材を覆う布またはスポンジとから垂直に立てられた複数本の棒状を呈するように形成され、前記送風機が駆動され、そして所定の有効塩素濃度の次亜塩素酸を含みｐＨが３．０〜７．０に調整された薬液が前記薬液流下体の上部に供給されると、前記薬液は前記薬液流下体に沿って流下して、前記吸入口から吸入された空気は、前記薬液流下体を流下する前記薬液と接触して、前記送風口から外部に送風されるように構成される。
さらには、請求項１１に記載の発明は、請求項７〜１０のいずれかの項に記載の除菌・消臭装置において、前記送風口は、空調機、加湿器または空気清浄機の送風口近傍に設けられるように構成される。
【発明の効果】
【００１３】
以上のように本発明によると、所定の有効塩素濃度の次亜塩素酸を含む薬液を空気に接触させるとき、該薬液が液相に維持された状態で接触させるので、空気中に塩化ナトリウム、塩酸、塩素酸ナトリウム等の不純物は拡散しない。そして、薬液はｐＨが３．０〜７．０に調整されているので、薬液中には、分子状態の、すなわちイオン状態でない次亜塩素酸が所定の濃度で存在することになる。従って次亜塩素酸は効率よく蒸散されることになる。そうすると、実質的に次亜塩素酸だけが空気中に蒸散することになる。このようにして得られた次亜塩素酸を含んだ空気を所定のエリアに送風して該エリアを除菌・消臭するので、次のような効果が得られる。まず、病院・学校等の広い室内、または地下鉄のホーム、地下街等の一部が開放された空間のような所定のエリアであっても効率よく除菌・消臭することができる。そして、次亜塩素酸は人体に対する影響がほとんどないので、人がいるエリアに対しても除菌・消臭が可能である。さらには、塩化ナトリウム、塩酸等の金属類を錆びさせたり室内を汚染する物質や、塩素酸ナトリウム等の毒性の強い物質を外部に排出することがないので安全に除菌・消臭をすることができる。
【００１４】
他の発明によると、薬液を前記空気に接触させるとき、薬液は直列に接続された複数槽の薬液槽を所定時間滞留させながら流下させ、空気は薬液の流れと反対方向から薬液槽の液面と平行に吹き付けるようにするので、シンプルな方法で空気に次亜塩素酸を蒸散させることができる。従って安価に除菌・消臭することができる。また、薬液を空気に接触させるとき、空気は所定の風速で水平方向に送風し、薬液は直径５０μｍ以上の液滴にして空気中を落下させる発明によると、薬液の液相の表面積を大きくすることができるので、さらに効率よく次亜塩素酸を空気に蒸散させることができる。そして、液滴の直径は５０μｍ以上なので、すなわち薬液が霧状にされないので、液滴が空気中で消失してしまって不純物が空気中に拡散してしまうこともない。すなわち、次亜塩素酸の蒸散の効率は十分に高く、安全性も確保されている。また、この薬液と接触させた空気を、所定の網でフィルタリングして、空気に含まれる液滴を除去した後にエリアに放出する発明によると、液滴は完全に除去されるのでさらに安全性が確保されることになる。他の発明によると、薬液を空気に接触させるとき、複数本の芯材と該芯材を覆う布またはスポンジからなり垂直に立てられた複数本の棒状を呈する薬液流下体の上部に薬液を供給して、薬液を薬液流下体に沿って流下させ、空気は薬液流下体に吹き付けるので、シンプルな構造の薬液流下体を使用するだけで、効率よく次亜塩素酸を空気中に蒸散することができる。従って、除菌・消臭方法を安価に実施することが可能になる。さらには、他の発明においては、これらの方法において、薬液を空気に接触させて得られた次亜塩素酸を含んだ空気を、空調機、加湿器または空気清浄機の送風口に供給して、次亜塩素酸を含んだ空気と送風口から送風される空気がブレンドされて送風されるように構成されている。このようにすると、空調機、加湿器または空気清浄機から送風される空気によって、部屋の隅々にまで除菌・消臭効果を有する次亜塩素酸を供給することができるので、効率よく除菌・消臭することが可能になる。
【図面の簡単な説明】
【００１５】
【図１】本発明の実施の形態に係る除菌・消臭装置を模式的に示す図で、その（ア）は、第１の実施の形態に係る除菌・消臭装置を、その（イ）は第２の実施の形態に係る除菌・消臭装置を、それぞれ示す側面断面図である。
【図２】本発明の実施の形態に係る除菌・消臭装置を模式的に示す図で、その（ア）は、第３の実施の形態に係る除菌・消臭装置を、その（イ）は第４の実施の形態に係る除菌・消臭装置を、それぞれ示す側面断面図である。
【図３】本発明の第５の実施の形態に係る除菌・消臭装置を模式的に示す側面断面図である。
【図４】空気と液面において接触している薬液中の次亜塩素酸の蒸散速度を示すグラフである。
【発明を実施するための形態】
【００１６】
本発明においては、所定の有効塩素濃度の次亜塩素酸を含み、ｐＨが３．０〜７．０に調整された薬液を空気に接触させて、空気中に次亜塩素酸を蒸散させる。このとき、薬液を液相状態に維持して、すなわち霧状にしないで空気に接触させ、空気中に次亜塩素酸以外の不純物が拡散することを防止する。そして得られた次亜塩素酸を含む空気を除菌・消臭したい所定のエリア、すなわち一般家庭屋内、手術室、病室等のような密閉された部屋や、地下街、地下鉄のホーム、店舗等の一部開放された半開放空間に送風する。このように、本発明は、薬液を液相状態に維持した状態で空気に接触させる点に特徴がある。以下、本発明の色々な実施の形態を説明する。
【００１７】
本発明の第１の実施の形態に係る除菌・消臭装置１ａは、所定の筐体５と、所定の有効塩素濃度の次亜塩素酸を含んだ薬液が入れられる第１〜３の薬液槽７〜９と、薬液を供給する薬液供給槽１３と、使用後の薬液を貯める廃液槽１４とから構成されている。筐体５は密閉した扁平な箱状を呈しており、外部から空気を吸入する吸入口２と、外部に次亜塩素酸を含んだ空気を送風する送風口３とが設けられている。筐体５は次亜塩素酸によって腐食されないように材料が選定されているが、特に送風口３近傍は腐食されやすいので、塩化ビニル等の耐腐食性材料から形成されている。吸入口２には筐体５内に空気を吸入する送風機すなわちファン１１が設けられている。従って、ファン１１を駆動すると、矢印Ｙ１で示されているように吸入口２から空気が筐体５内に吸入される。次いで、空気は矢印Ｙ２で示されているように第１〜３の薬液槽７〜９に入れられた薬液の液面と接しながら流れ、送風口３から矢印Ｙ３で示されているように外部に送風される。従って、筐体５内において薬液中の次亜塩素酸が空気中に蒸散するので、筐体５内は薬剤が蒸散する薬剤蒸散室１５になっている。薬剤蒸散室１５の底面と壁面の所定部分とからなる下方部分は、異なる高さの第１、２の仕切壁１７、１８によって３個の部分に分割されている。これらの各部分が第１〜３の薬液槽７〜９になっている。筐体５の第１の薬液槽７側の側壁には、薬液供給槽１３から薬液を供給する薬液供給管１９が設けられ、薬液供給管１９には流量調整弁２１が設けられている。従って、流量調整弁２１を開くと薬液が第１の薬液槽７に供給される。ところで、第２の仕切壁１８の高さは第１の仕切壁１７の高さより低い。そして、筐体５の第３の薬液槽９側の側壁には、第２の仕切壁１８の高さより低い位置に薬液を排出する薬液排出口２０が明けられている。従って、第１〜３の薬液槽７〜９が薬液で満たされるとき、各薬液槽７〜９の液面は、第１の薬液槽７、第２の薬液槽８、第３の薬液槽９の順番で低くなる。このような状態において、第１の薬液槽７に薬液が供給されると、第１の薬液槽７中の薬液は第１の仕切壁１７を越えて第２の薬液槽８へ流れ、第２の薬液槽８中の薬液は第２の仕切壁１８を越えて第３の薬液槽９へ流れることになる。つまり、第１の薬液槽７は最上流の槽、第３の薬液槽９は最下流の槽になっている。そして、第１、２の仕切壁１７、１８はこのような薬液の流れをコントロールする堰としての作用を奏する。薬液排出口２０は廃液槽１４に接続されているので、排出された薬液は廃液槽１４に貯められる。
【００１８】
本実施の第１の形態に係る除菌・消臭装置１ａの作用を説明する。最初に薬液を調製する。薬液は、純度の高い次亜塩素酸水から調製するようにしてもよいが、本発明の方法によると、金属イオン、塩酸等の不純物は除菌・消臭対象のエリアに放出されないので、薬液に含まれる不純物に関しては格別に考慮する必要はない。従って、塩化ナトリウム水溶液を電気分解して次亜塩素酸を含む薬液を生成してもよい。本実施の形態においては、安価に入手できる次亜塩素酸ナトリウム水溶液から調製する。所定の濃度の次亜塩素酸ナトリウム水溶液に希塩酸を所定量だけ添加して、ｐＨ３．０〜７．０、好ましくはｐＨ４．０〜６．５に調整する。薬液の有効塩素濃度が高いほど次亜塩素酸の蒸散効果が高くなるので、除菌・消臭の効果は高い。しかしながら、送風する空気中の次亜塩素酸の濃度に関しては、除菌・殺菌対象のエリアの広さに応じて必要とされる濃度が変わるので、薬液の有効塩素濃度は調整する必要がある。従って、必要に応じて水道水で希釈する。ただし、第１の実施の形態においては空気は薬液の液面と接触するので、すなわち接触面積はそれほど広くないので、薬液の次亜塩素酸の有効塩素濃度は１０ｍｇ／Ｌ以上あることが好ましい。所定の有効塩素濃度に希釈して、薬液を調製する。得られた薬液２２を薬液供給槽１３に入れる。
【００１９】
流量調整弁２１を所定量だけ開き、薬液２２を所定の流速で第１の薬液槽７に供給する。供給された薬液によって第１の薬液槽７は第１の仕切壁１７の高さまで満たされる。次いで、薬液は第１の仕切壁１７からあふれて第２の薬液槽８に流れる。流入する薬液によって第２の薬液槽８が第２の仕切壁１８の高さまで満たされると、第２の仕切壁１８からあふれて第３の薬液槽９に流れる。そして、流入する薬液によって第３の薬液槽９が薬液排出口２０の高さまで満たされると、薬液は薬液排出口２０から廃液槽１４に排出される。引き続き第１の薬液槽７に薬液を供給すると、薬液は所定時間第１の薬液槽７を滞留した後に第２の薬液槽８に流れ、第２の薬液槽８を所定時間滞留した後に第３の薬液槽９に流れ、所定時間滞留後に廃液槽１４に排出される。薬液の供給開始に先だってファン１１を駆動する。あるいは、薬液の供給開始後、所定時間経過後にファン１１を駆動する。ファン１１によって外部の空気が吸入口２から吸入される。空気は薬剤蒸散室１５内を矢印Ｙ２で示されている方向に流れる。すなわち、空気は薬液の流れと反対方向に流れ、第３の薬液槽９、第２の薬液槽８、第１の薬液槽７の順番で各液面に接触する。そうすると、空気中に次亜塩素酸が蒸散され、空気中の次亜塩素酸の濃度が徐々に高くなる。所定の濃度の次亜塩素酸を含んだ空気が送風口３から外部のエリアに送風される。空気に含まれている次亜塩素酸によってエリアが除菌・消臭される。ところで、第１〜３の薬液槽７〜９を流れる薬液は、次亜塩素酸が蒸散するので、下流に流れるに従って次亜塩素酸の有効塩素濃度が低くなる。従って、十分に次亜塩素酸が蒸散して、次亜塩素酸の有効塩素濃度が低下した後に薬液は廃液槽１４に排出される。
【００２０】
次に図１の（イ）によって、第２の実施の形態に係る除菌・消臭装置１ｂについて説明する。前実施の形態に係る除菌・消臭装置１ａと同様の構成部品・構成部材については同じ参照番号を付して詳しく説明はしない。第２の実施の形態に係る除菌・消臭装置１ｂにおいては、薬液槽２３が１槽のみから構成され、薬剤蒸散室１５の下方部分全体に形成されている。そして、筐体５の所定の部分には所定のくり抜き２４が明けられている。このくり抜き２４には、薬液２２が入れられた薬液供給タンク２５が、その縮径された開口部２７が下方になるようにして差し込まれている。この開口部２７は、薬液槽２３に入れられた薬液中に所定長さだけ沈むように薬液供給タンク２５の位置が調整されている。従って、薬液槽２３の薬液が減って液面が低下して開口部２７が露出すると、薬液が自動的に薬液供給タンク２５から薬液槽２３に供給され、薬液槽２３の液面が上昇することになる。本実施の形態においては、薬液排出口２０には手動で開閉する弁２８が設けられている。
【００２１】
第２の実施の形態に係る除菌・消臭装置１ｂは、バッチ的に運転することもできるし連続的に運転することもできる。バッチ的に運転する場合は次のようにする。薬液槽２３に所定の量の薬液を入れ、ファン１１を駆動する。そうすると、吸入口２から吸入された空気は薬剤蒸散室１５内で薬液の液面に接触しながら流れ、次亜塩素酸は蒸散する。蒸散した次亜塩素酸を含んだ空気が、送風口３から送風される。所定時間、例えば数時間運転すると薬液中の次亜塩素酸の有効塩素濃度が低下する。そうすると、弁２８を開いて薬液を所定量だけ廃液槽１４に排出し、弁２８を閉じる。薬液槽２３の液面が低下するので、薬液が自動的に薬液供給タンク２５から供給される。薬液槽２３の液面が回復する。薬液槽２３の薬液は、次亜塩素酸が所定の有効塩素濃度に上がる。再び次亜塩素酸が空気中に蒸散する。このように実施されるので、薬液供給タンク２５から供給される薬液は、薬液槽２３内の濃度の薄い薬液で希釈されることになる。従って、薬液供給タンク２５に入れる薬液２２は、次亜塩素酸の有効塩素濃度を高くするとよい。第２の実施の形態に係る除菌・消臭装置１ｂを連続的に運転する場合は、次のようにする。薬液供給タンク２５をその開口部２７が薬液槽２３の底面に触れる程度に下げる。そして、薬液槽２３の薬液が均一に拡がる程度の低い液位にする。そうすると、薬液槽２３の薬液の液量が少ないので、次亜塩素酸の蒸散によって薬液中の有効塩素濃度の減少は早まる。弁２８をわずかに開いておく。そうすると、次亜塩素酸が十分に蒸散して有効塩素濃度が十分に低下した薬液が少しずつ廃液槽１４に排出されることになる。そうすると薬液供給タンク２５から同量宛薬液が供給される。
【００２２】
図２の（ア）によって、第３の実施の形態に係る除菌・消臭装置１ｃについて説明する。第１、２の実施の形態に係る除菌・消臭装置１ａ、１ｂと同様の構成部品・構成部材については同じ参照番号を付して説明を省略する。第３の実施の形態に係る除菌・消臭装置１ｃは、筐体５の内部、すなわち薬剤蒸散室１５に薬液を所定の径の液滴状にして落下させる液滴発生装置３２が設けられている。液滴発生装置３２は、薬液を所定量だけ貯めると共に落下する液滴を受ける受液プレート３３と、受液プレート３３に貯められている薬液と薬液供給層１３から供給される薬液をブレンドして所定の薬液管３４に圧送するポンプ３６と、薬液管３４から圧送された薬液を所定の直径の液滴にして水平方向に放出する水平ノズル３７、３７、…と、水平ノズル３７、３７、…の後方に垂直に立てられていると共にその下端部が受液プレートに入れられている所定の目の網３９、３９とから構成されている。そして、受液プレート３３は、弁２８が設けられている薬液排出口２０を介して廃液槽１４に接続されている。本実施の形態においては、筐体５内に空気を吸入する吸入口２と、外部に空気を送風する送風口３は、それぞれ筐体５の向かい合う側壁に設けられている。そして、薬剤蒸散室１５内の空気が、水平ノズル３７、３７、…から放出される液滴の方向と反対向きに流れるように構成されている。
【００２３】
第３の実施の形態に係る除菌・消臭装置１ｃの作用を説明する。ファン１１を駆動して、外部の空気を吸入し薬剤蒸散室１５内を矢印Ｙ２に示されているように流す。流量調整弁２１を所定量だけ開いて少量ずつ薬液が薬液供給槽１３から供給されるようにして、ポンプ３６を駆動する。そうすると受液プレート３３から供給される薬液と薬液供給槽１３から供給される薬液がブレンドされて薬液管３４に圧送される。圧送された薬液は水平ノズル３７、３７、…から直径５０μｍ以上の液滴にされ、空気の流れと反対方向に放出される。液滴にされ表面積が大きくなっているので、空気中に効率よく次亜塩素酸が蒸散する。また、液滴の直径は５０μｍ以上であるので、薬液は液相に維持されており、空気中に完全に拡散することはない。放出された液滴は０．５〜２秒程度で受液プレート３３に落下する。このとき液滴の一部が空気中に残存していても、網３９によって捕捉されて受液プレート３３に集められるので、送風口３から送風される空気には不純物は含まれない。本実施の形態においては、次亜塩素酸の蒸散はとても効率が高いので、水平ノズル３７、３７、…から放出する薬液は、次亜塩素酸の有効塩素濃度が５ｍｇ／Ｌであってもある程度効果が得られる。このように蒸散の効率が高いので、受液プレート３３に貯められる薬液の有効塩素濃度は非常に低くなる。有効塩素濃度が低下した薬液は適宜廃液槽１４に排出する。薬液供給層１３から供給される薬液は、受液プレート３３から供給される薬液とブレンドされて希釈されるので、有効塩素濃度を予め高くしておくとよい。
【００２４】
図２の（イ）によって、本発明の第４の実施の形態に係る除菌・消臭装置１ｄを説明する。第３の実施の形態に係る除菌・消臭装置１ｃと同様の構成部品・構成部材については同じ参照番号を付して説明はしない。第４の実施の形態に係る除菌・消臭装置１ｄは、第３の実施の形態に係る除菌・消臭装置１ｃとノズルだけが異なっている。すなわち、薬液を液滴にするノズルは、薬剤蒸散室１５の上部に１個だけ設けられ、下方に液滴を放出する下方噴射ノズル４１になっている。このように、液滴は高所から噴射されるので空中を比較的長い距離落下する。従って、液滴の直径は大きくても十分に蒸散の効率は高い。さらに、液滴は下方に噴出されるので、強制的に受液プレートに落下されることになる。そうすると、下方噴射ノズル４１から噴射されてから短時間で受液プレートに到達するので、液滴が空気中で消失してしまうことがない。次亜塩素酸以外の不純物が空気中に拡散する可能性が極めて低くなる。
【００２５】
図３によって、本発明の第５の実施の形態に係る除菌・消臭装置１ｅを説明する。第３の実施の形態に係る除菌・消臭装置１ｃと同様の構成部品・構成部材については同じ参照番号を付して説明しない。第５の実施の形態に係る除菌・消臭装置１ｅは、第３の実施の形態に係る除菌・消臭装置１ｃに設けられていた液滴発生装置３２の代わりに、薬液流下装置４２が設けられている。薬液流下装置４２は、薬液を垂直に流下させる所定の形状の薬液流下体４４と、薬液流下体４４が入れられて薬液流下体４４から流下する薬液を受ける受液プレート３３と、受液プレート３３に貯められている薬液と薬液供給層１３から供給される薬液をブレンドして薬液管３４を経由して薬液を薬液流下体４４の上部に供給するポンプ３６とから構成されている。薬液流下体４４は、垂直に立てられた複数本の棒状の芯材４５、４５、…と、芯材４５、４５、…に巻き付けられている布、スポンジ等の被覆４６、４６、…とから構成されている。これらの被覆４６、４６、…は吸水性を有するので、薬液は薬液流下体４４をゆっくりと流下することになる。従って、薬剤蒸散室１５内の空気は薬液流下体４４を流下する薬液に効率よく接触して、薬液中の次亜塩素酸が蒸散されることになる。受液プレート３３に貯められた薬液は、次亜塩素酸の有効塩素濃度が低くなっているので適宜弁２８を開いて薬液を廃液槽１４に排出する。
【実施例１】
【００２６】
エチルアルコール水と次亜塩素酸水のそれぞれの除菌効果を調べる以下の実験を行った。
３個の所定の容器Ａ１〜Ａ３のそれぞれにビーカーａ１〜ａ３を入れ、各ビーカーａ１〜ａ３に以下の溶液を入れた。
ビーカーａ１：１００ｍＬの水道水
ビーカーａ２：１００ｍＬのエチルアルコール水  濃度１００ｍｇ／Ｌ
ビーカーａ３：１００ｍＬの次亜塩素酸水  有効塩素濃度５０ｍｇ／Ｌ
所定の排水処理場でカビを含んだ汚泥を採取して、これを希釈し、３枚の顕微鏡用スライドグラスのそれぞれに２滴ずつ垂らして風乾させた。各スライドグラスには曇りガラス状を呈するわずかに茶色の乾燥泥が形成された。この３枚のスライドグラスを、それぞれ各ビーカーａ１〜ａ３の上に置き、容器Ａ１〜Ａ３に蓋をした。２日後、スライドグラスの乾燥泥の変化を調べたところ、表１のようになった。
【００２７】
【表１】
2011050702.tif 000003
【００２８】
この実験によって、次亜塩素酸水から除菌効果を有する物質が蒸散して、乾燥泥が除菌されたことが明らかになった。後の実験でも明らかなように除菌効果を有する物質は次亜塩素酸と考えるべきであり、蒸散した次亜塩素酸によって除菌されることが確認できた。また、エチルアルコール水は、乾燥泥が活性化していたことから、細菌やカビの栄養になっていることが推測された。そこで、引き続き容器Ａ３を１８日間放置してスライドグラスを観察したところ、スライドグラス全体にカビが繁殖していた。このことから、エチルアルコール水は細菌やカビの栄養になることが確認でき、除菌用の薬液としては適していないことが判明した。
【実施例２】
【００２９】
次亜塩素酸の有効塩素濃度の違いによる除菌効果の違いを調べる以下の実験を行った。
所定量の次亜塩素酸ナトリウム水溶液に所定量の希塩酸を添加して、有効塩素濃度が２００ｍｇ／ＬでｐＨ６．５の薬液を調製した。
５個の所定の容器Ｂ１〜Ｂ５のそれぞれにビーカーｂ１〜ｂ５を入れ、各ビーカーｂ１〜ｂ５に以下の溶液を１００ｍＬずつ入れた。
ビーカーｂ１：薬液を有効塩素濃度１０ｍｇ／Ｌに希釈した溶液。
ビーカーｂ２：薬液を有効塩素濃度３０ｍｇ／Ｌに希釈した溶液。
ビーカーｂ３：薬液を有効塩素濃度８０ｍｇ／Ｌに希釈した溶液。
ビーカーｂ４：希釈しない薬液。有効塩素濃度２００ｍｇ／Ｌ。
ビーカーｂ５：水道水。
所定の排水処理場で採取された汚泥を希釈して、５枚の顕微鏡用スライドグラスのそれぞれに２滴ずつ垂らし、風乾させた。各スライドグラスには曇りガラス状を呈するわずかに茶色の乾燥泥が形成された。この５枚のスライドグラスを、それぞれ各ビーカーｂ１〜ｂ５の上に置き、容器Ｂ１〜Ｂ５に蓋をした。３日後、スライドグラスの乾燥泥の変化を調べたところ、表２のようになった。なお、容器Ｂ１内のスライドグラスの脱色の割合は、目視によって判断されたおおよその数値である。
【００３０】
【表２】
2011050702.tif 000004
【００３１】
有効塩素濃度が３０ｍｇ／Ｌ以上の薬液であれば、確実に次亜塩素酸は空気中に蒸散されて、ほぼ１００％除菌できることが確認できた。また有効塩素濃度が１０ｍｇ／Ｌであっても、空気中に次亜塩素酸が蒸散されて十分な除菌効果が得られることが確認できた。
【実施例３】
【００３２】
次亜塩素酸を含む薬液から蒸散された次亜塩素酸について消臭効果を調べる実験を行った。
消臭の対象を腐敗した活性汚泥とした。腐敗した活性汚泥からは腐卵臭を有する硫化水素（Ｈ２Ｓ）が発生する。このような硫化水素を発生する汚泥に次亜塩素酸水を添加すると、次の２式の反応によって腐卵臭が発生しなくなることが知られている。
Ｈ２Ｓ  →  Ｓ  →  ＳＯ４２−                  （２式）
この反応が気相においても起こるか否か、すなわち次亜塩素酸を含む薬液から蒸散した次亜塩素酸が、硫化水素と反応して腐卵臭を消臭できるか否かを実験した。
所定量の次亜塩素酸ナトリウム水溶液に所定量の希塩酸を添加してｐＨ６．５とし、薬液を得た。２個のシャーレｃ１、ｃ２を用意して、希釈によって所定の有効塩素濃度にされた次の薬液を、それぞれ１５ｍＬずつ入れた。
シャーレｃ１：有効塩素濃度３００ｍｇ／Ｌの薬液
シャーレｃ２：有効塩素濃度３０００ｍｇ／Ｌの薬液
これらのシャーレｃ１、ｃ２に蓋をして、それぞれ２０Ｌの容器Ｃ１、Ｃ２に入れ、容器Ｃ１、Ｃ２には内部の空気を攪拌するエアーポンプを入れ、容器Ｃ１、Ｃ２の上部を蓋で覆って密封した。
容量が１Ｌの所定の容器ＣｚにＳＳ６７６０ｍｇ／Ｌの活性汚泥を３００ｍＬ入れて密封し、５日間放置して容器Ｃｚ内に硫化水素を発生させた。
容器Ｃ１、Ｃ２の蓋を外し、容器Ｃｚ内の硫化水素を含んだ気体を所定量だけ容器Ｃ１、Ｃ２に入れた後、シャーレｃ１、ｃ２の蓋を取り、容器Ｃ１、Ｃ２の蓋を閉じた。１分後容器Ｃ１、Ｃ２の蓋を開けて臭気を確認し蓋を閉じた。２分後にも容器Ｃ１、Ｃ２の蓋を開けて臭気を確認して蓋を閉じた。以下の結果が得られた。
容器Ｃ１：１分後には腐卵臭がわずかに残っていたが、２分後には腐卵臭は全て消えた。
容器Ｃ２：１分後に腐卵臭は全て消え、わずかに塩素臭がした。２分後も腐卵臭はしなかった。
この実験により、蒸散した次亜塩素酸によって極めて短時間に硫化水素が分解されることが分かった。また、蒸散した次亜塩素酸に消臭効果があることが分かった。
【実施例４】
【００３３】
次亜塩素酸ナトリウム水溶液と希塩酸とから調製された薬液から、次亜塩素酸ナトリウムでなく、次亜塩素酸が蒸散されることを確認する実験を行った。
所定量の次亜塩素酸ナトリウム水溶液に所定量の希塩酸を添加してｐＨ６．５、有効塩素濃度２００ｍｇ／Ｌの薬液を得た。２個のビーカーＤ１、Ｄ２のそれぞれに薬液を１００ｍＬずつ入れて、ビーカーＤ２だけを樹脂製シートでラップした。これらのビーカーＤ１、Ｄ２を共にエアコンの風が当たる場所に置き放置した。６日後にビーカーＤ１、Ｄ２内の薬液は以下のようになった。
ビーカーＤ１：残留塩素濃度２ｍｇ／Ｌ、ｐＨ７．８、減少した液量は２１ｍＬ
ビーカーＤ２：残留塩素濃度２００ｍｇ／Ｌ、ｐＨ６．５、減少した液量は０ｍＬ
この実験により、上部が開放されていないビーカーＤ２内では次亜塩素酸が他の物質に変化していないことが確認できた。従って、ビーカーＤ１における残留塩素濃度の減少は、薬液から次亜塩素酸が蒸散することによって生じたものと推測される。液量の減少は水の蒸発によるものと考えられる。
次亜塩素酸ナトリウムと塩酸から以下の３式によって次亜塩素酸が生成される。
ＮａＯＣｌ＋ＨＣｌ＝ＨＯＣｌ＋ＮａＣｌ        （３式）
ここで、次亜塩素酸水の酸平衡定数は１０−７．５であるので、実験に使用された薬液のｐＨが６．５であることを考えると、薬液中に存在する次亜塩素酸ナトリウム（ＮａＯＣｌ）と次亜塩素酸（ＨＯＣｌ）の割合は次のようになる。
次亜塩素酸（ＨＯＣｌ）：９１％
次亜塩素酸ナトリウム（ＮａＯＣｌ）：９％
もし、空気中に蒸散したのが次亜塩素酸ナトリウムであるとすると、次亜塩素酸ナトリウムの割合が減少するので、３式の反応が右辺から左辺に向かう方向に進行する。そうすると塩酸（ＨＣｌ）の濃度が高くなるのでｐＨが低くなる。しかしながら、実験によるとｐＨはわずかにアルカリ側に変化している。このことから空気中に蒸散したのは次亜塩素酸（ＨＯＣｌ）であって、３式の反応が左辺から右辺に向かう方向に進行していたことが分かる。
以上より、薬液から蒸散したのは次亜塩素酸であることが明らかになった。なお、蒸散した次亜塩素酸は、室内の湿度に応じて空気中では無水次亜塩素酸（Ｃｌ２Ｏ）に変化している可能性もある。
【実施例５】
【００３４】
次亜塩素酸ナトリウム水溶液に希塩酸が添加されて調製された薬液から、塩酸（ＨＣｌ）が蒸散する可能性について調べるため、単体としての希塩酸から塩酸が蒸散するか否かを実験した。
ｐＨ２．０の希塩酸をビーカーに所定量入れて風通しのよい場所に置き、３日間放置した。３日後にｐＨを測定したところ、ｐＨは２．０であって変化していなかった。
ｐＨが２．０と酸性の強い状態においても、塩酸が蒸散しないことが確認できた。ｐＨが高いと塩酸は蒸散し難くなるので、この実験によりｐＨが３．０以上であれば塩酸が蒸散する可能性はほとんどないことが分かる。これにより、次亜塩素酸ナトリウム水溶液に希塩酸が添加されてｐＨ３．０〜７．０に調整された薬液からも希塩酸が蒸散する可能性はほとんどないと考えられる。
【実施例６】
【００３５】
高濃度の有効塩素濃度の薬液から次亜塩素酸が蒸散されることを確認する実験を行った。この実験においては、薬液から塩素ガス（Ｃｌ２）あるいはその水和物（Ｃｌ２・Ｈ２Ｏ）が蒸散する可能性について調べることも目的としている。
所定の次亜塩素酸ナトリウム水溶液に８．５％の塩酸を加えて２種類の薬液ｆ１、ｆ２を調製した。
薬液ｆ１：次亜塩素酸ナトリウムと塩酸が、それぞれ同じモル数になるように薬液を調製した。有効塩素濃度３０００ｍｇ／Ｌ、ｐＨ５．２２になった。
薬液ｆ２：次亜塩素酸ナトリウムに対して塩酸が２倍のモル数になるように薬液を調製した。有効塩素濃度３０００ｍｇ／Ｌ、ｐＨ１．８４になった。
薬液ｆ１、ｆ２のそれぞれを１００ｍＬずつ採り、それぞれビーカーＦ１、Ｆ２に入れた。ビーカーＦ１、Ｆ２をエアコンの送風口近傍に置き、開口した状態で放置した。２日後、および５日後にｐＨと残留塩素濃度を調べたところ、表３のようになった。
【００３６】
【表３】
2011050702.tif 000005
【００３７】
ビーカーＦ１、Ｆ２は共に、２日後に大半の次亜塩素酸が蒸散しており、５日にはほとんど次亜塩素酸が蒸散して、ビーカーＦ２においては残留塩素濃度な０ｍｇ／Ｌになっていた。次亜塩素酸が高濃度で含まれている薬液であっても、問題なく次亜塩素酸が蒸散されることが確認できた。なお、ビーカーＦ１においてｐＨが上昇してアルカリ側に変化したのは、実施例４と同様の理由による現象であると考えられる。この実験からも、次亜塩素酸ナトリウムは蒸散せず、次亜塩素酸が蒸散したことが明らかになった。
【００３８】
ビーカーＦ２の変化の結果から、塩素ガス（Ｃｌ２）あるいはその水和物（Ｃｌ２・Ｈ２Ｏ）が蒸散した可能性について検討する。
次亜塩素酸ナトリウム（ＮａＯＣｌ）に対して２倍のモル比の希塩酸（ＨＣｌ）を添加しているので、４式のような反応式を書くことができる。
ＮａＯＣｌ＋２ＨＣｌ＝Ｃｌ２＋Ｈ２Ｏ＋ＮａＣｌ        （４式）
これを３式を考慮して書き換えると、５式のように反応式を書くこともできる。
ＨＯＣｌ＋ＨＣｌ＝Ｃｌ２＋Ｈ２Ｏ                      （５式）
これらの４、５式は、左辺から右辺、右辺から左辺のいずれの方向にも反応が進行する可能性があることを示す式である。
ビーカーＦ２の変化を検討すると、もし塩素ガス、あるいはその水和物が蒸散したと仮定すると、薬液中の塩酸（ＨＣｌ）は消費されてしまうので、ｐＨは中性に近づくはずである。しかしながら、ビーカーＦ２のｐＨは、ほとんど変化せずに酸性の状態に維持されたので、この仮定は誤りであることが分かる。すなわち、薬液から塩素ガス、あるいはその水和物は蒸散しなかったことが明らかになった。
【実施例７】
【００３９】
本実施の第３、４の形態に係る除菌・消臭装置１ｃ、１ｄにおいては薬液を液滴にして空気中を落下させる。液滴にされた薬液が空気中で蒸発・消失しないで受液プレートに到達できる条件、すなわち薬液が液相に維持された状態で空気に接触できる条件を確認する実験を行った。なお、条件として薬滴の直径のみに着目した。
次亜塩素酸ナトリウム水溶液と希塩酸とから、有効塩素濃度２２０ｍｇ／Ｌ、ｐＨ６．５の薬液を調製し、市販の手動式霧吹き、すなわちハンドスプレーに入れた。ハンドスプレーによって薬液を液滴にして、２０ｃｍの距離だけ離間したスライドグラスに吹き付けた。このスライドグラスは倍率４０倍の顕微鏡にセットされている。吹き付けた直後、すなわち０．５秒以内に１回、１０秒後に１回、それぞれ４０倍に拡大されたスライドグラスの写真を撮った。ハンドスプレーから噴出された液滴の直径は６０〜１４０μｍであり、０．５秒以内に撮影した写真から観察された液滴の大きさと個数は表４のようになった。
【００４０】
【表４】
2011050702.tif 000006
【００４１】
ここで、スライドグラスに付着している液滴は半球になっていると仮定して、本来の液滴の直径を計算した。１０秒後に撮影された写真から観察された液滴は、表４に示されている液滴の直径よりも若干小さくなっていたが個数は変化していなかった。なお、直径２５μｍ前後の液滴も数個観察されたが、１０秒後には一部が蒸発・消失していた。本実施の第３、４の形態に係る除菌・消臭装置１ｃ、１ｄにおいては、液滴は０．５秒〜数秒程度で落下する。従って、空気中で蒸発・消失しないための液滴の直径は５０μｍ以上であると考えられる。
【実施例８】
【００４２】
本実施の第２の形態に係る除菌・消臭装置１ｂの、次亜塩素酸を蒸散する能力を推定する実験を行った。
２１０ｍｍ×１４０ｍｍ×７５ｍｍの箱型樹脂容器に、外部から空気を吸入する吸入口と、外部に空気を送風する送風口とを明け、吸入口に電力が１３Ｗのファンを取り付けた。次亜塩素酸ナトリウム水溶液と希塩酸とから、有効塩素濃度２２０ｍｇ／Ｌ、ｐＨ６．５の薬液を調製し、箱型樹脂容器の内部に１．２Ｌ入れた。ファンを駆動すると、薬液の液面がわずかに波打つのが確認された。ファンを駆動した状態で、所定時間経過毎に有効塩素濃度の変化を比色法によって測定した。測定結果は図４のグラフに示されている。この実験によって、次亜塩素酸が７時間でほぼ半減していることが分かる。また、２４時間経過すると次亜塩素酸の９０％が蒸散することが分かる。なお、薬液中の水は２４時間で約３００ｍＬが蒸発した。
同様の装置を使用して、薬液の量を少なくして実験した。すなわち、同じ有効塩素濃度の薬液を３００ｍＬだけ箱型樹脂容器に入れ、ファンを駆動した。薬液中の次亜塩素酸の９０％が蒸散するのに要した時間は５時間であった。薬液の液量を少なくして液面を低下させると薬液中の次亜塩素酸の蒸散の速度が速くなることが確認できた。薬液量を少なくして運転すると薬液中の次亜塩素酸の有効塩素濃度は早期に低下してしまうが、これを早期に排出して新しい薬液を供給することもできるので、そうすると蒸散する次亜塩素酸は、常に十分な量を確保することができる。
【実施例９】
【００４３】
薬液が液滴にされて空気中を落下する場合の、次亜塩素酸の蒸散の効率を調べる実験を行った。
次亜塩素酸ナトリウム水溶液と希塩酸とから薬液ｈ１、ｈ２を調製し、市販の手動霧吹き、すなわちハンドスプレーＨ１、Ｈ２に入れた。薬液ｈ１、ｈ２は以下のようにした。
薬液ｈ１：有効塩素濃度３０００ｍｇ／Ｌ、ｐＨ６．５
薬液ｈ２：有効塩素濃度３００ｍｇ／Ｌ、ｐＨ６．５
ハンドスプレーＨ１、Ｈ２のそれぞれから、１ｍの高さから下方に向けて薬液ｈ１、ｈ２を液滴にして落下させた。そして、落下した液滴をそれぞれビーカーＨＨ１、ＨＨ２に貯めた。このとき、液滴のほとんどは０．５秒以内で落下することが観察された。ビーカーＨＨ１、ＨＨ２にそれぞれ５ｍＬ貯まったところで、比色法によって有効塩素濃度を測定した。測定結果を表５に示す。
【００４４】
【表５】
2011050702.tif 000007
【００４５】
実験の結果より、薬液を液滴にして空気中を落下させると、薬液中の次亜塩素酸の約６０〜７０％が蒸散し、蒸散の効率が高いことが分かる。また、蒸散する次亜塩素酸の割合は薬液の有効塩素濃度によって大きく変化しないことも分かる。このことから、薬液の次亜塩素酸の有効塩素濃度を変えると、時間当たりの蒸散量を容易に調整することができると推測される。すなわち、除菌・消臭装置の能力を調整することができる。
【００４６】
本実施の形態に係る除菌・消臭装置は色々な変形が可能である。例えば、第１、２の実施の形態においては薬液槽に何も設けられていないが、薬液槽に水車状を呈する攪拌装置を設けることもできる。つまり、回転する複数枚の攪拌羽根が薬液中と空中を交互に出入りしながら薬液と空気を攪拌する、水車状の攪拌装置である。このようにすると、薬液が所定の直径の液滴になると共に、空気が薬液中に強制的に押し込まれるので、空気と薬液が効率よく接触することができ蒸散効率が高くなる。また、エアーポンプを設けて空気を直接薬液中に吹き込むようにしてもよい。そうすると、薬液中で気泡となった空気に、効率よく次亜塩素酸が蒸散することになる。いずれの方法によっても、薬液は液相に維持された状態で空気に接触するので、空気には次亜塩素酸以外の不純物が混入することはない。
【符号の説明】
【００４７】
１ａ、１ｂ、１ｃ、１ｄ，１ｅ            除菌・消臭装置
２    吸入口                    ３    送風口
５    筐体                      ７    第１の薬液槽
８    第２の薬液槽              ９    第３の薬液槽
１１    ファン                  １３    薬液供給槽
１４    廃液槽                  １５    薬剤蒸散室
１７    第１の仕切壁            １８    第２の仕切壁
２２    薬液                    ２３    薬液槽
２５    薬液供給タンク          ３２    液滴発生装置
３３    受液プレート            ３６    ポンプ
３７    水平ノズル              ３９    網
４１    下方噴射ノズル          ４２    薬液流下装置
４４    薬液流下体
【図１】
2011050702.tif 000008
【図２】
2011050702.tif 000009
【図３】
2011050702.tif 000010
【図４】
2011050702.tif 000011
【手続補正書】
【提出日】平成22年1月26日(2010.1.26)
【手続補正１】
【補正対象書類名】特許請求の範囲
【補正対象項目名】全文
【補正方法】変更
【補正の内容】
【特許請求の範囲】
【請求項１】
所定の有効塩素濃度の次亜塩素酸を含みｐＨが３．０〜７．０に調整された薬液に、空気を前記薬液の液面に平行に吹き付けて、それによって前記空気中に次亜塩素酸を蒸散させ、得られた次亜塩素酸を含んだ空気を所定のエリアに送風して該エリアを除菌・消臭することを特徴とする除菌・消臭方法。
【請求項２】
請求項１に記載の除菌・消臭方法において、前記薬液は、直列に接続された複数槽の薬液槽を所定時間滞留させながら流下させ、前記空気は前記薬液の流れと反対方向から前記薬液槽の液面に平行に吹き付けるようにして実施することを特徴とする除菌・消臭方法。
【請求項３】
請求項１または２に記載の除菌・消臭方法において、前記薬液を前記空気に接触させて得られた前記次亜塩素酸を含んだ空気を、空調機、加湿器または空気清浄機の送風口に供給して、前記次亜塩素酸を含んだ空気を前記送風口から送風される空気にブレンドして送風することを特徴とする除菌・消臭方法。
【請求項４】
外部から空気を取り込む吸入口と外部に空気を送風する送風口が設けられた所定の薬剤蒸散室と、前記薬剤蒸散室内に設けられている薬液槽と、前記吸入口または前記送風口に設けられている送風機とから構成され、
前記薬液槽には、所定の有効塩素濃度の次亜塩素酸を含みｐＨが３．０〜７．０に調整された薬液が入れられており、
前記送風機が駆動されると、前記吸入口から吸入された空気は、前記薬液槽の液面に対して平行に吹き付けられて前記薬液と接触して、前記送風口から外部に送風されることを特徴とする除菌・消臭装置。
【請求項５】
外部から空気を取り込む吸入口と外部に空気を送風する送風口が設けられた所定の薬剤蒸散室と、前記薬剤蒸散室内に設けられている直列に接続された複数槽の薬液槽と、前記吸入口または前記送風口に設けられている送風機とから構成され、
前記吸入口と前記送風口は、それぞれ前記複数槽の薬液槽の最下流の槽と最上流の槽の近傍に設けられ、
前記送風機が駆動され、そして前記最上流の槽に所定の有効塩素濃度の次亜塩素酸を含みｐＨが３．０〜７．０に調整された薬液が供給されると、前記薬液は前記複数槽の薬液槽を所定の滞留時間を経て順次下流側に流れ、前記吸入口から吸入された空気は、前記薬液の流れと反対の方向に流れて前記複数槽の薬液槽の液面に対して平行に吹き付けられて前記薬液と接触して、前記送風口から外部に送風されることを特徴とする除菌・消臭装置。
【請求項６】
請求項４または５に記載の除菌・消臭装置において、前記送風口は、空調機、加湿器または空気清浄機の送風口近傍に設けられていることを特徴とする除菌・消臭装置。
【手続補正２】
【補正対象書類名】明細書
【補正対象項目名】００１０
【補正方法】変更
【補正の内容】
【００１０】
本発明は、上記目的を達成するために、所定の有効塩素濃度の次亜塩素酸を含みｐＨが３．０〜７．０に調整された薬液を空気に接触させて、空気中に次亜塩素酸を蒸散させる。このとき、薬液は所定の薬液槽に入れておき、空気を薬液の液面に平行に吹き付けるようにして空気を薬液に接触させる。そして、得られた次亜塩素酸を含んだ空気を所定のエリアに送風して該エリアを除菌・消臭するように構成する。このようにすると、塩化ナトリウムや塩酸、他の不純物がエリア内を汚染することがない。また、除菌・消臭装置の発明においては、薬液を所定の薬液槽に入れ、薬液の液面に平行に空気が吹き付けられるようにして空気が薬液に接触されるように所定の構造を備えた除菌・消臭装置として構成する。
【手続補正３】
【補正対象書類名】明細書
【補正対象項目名】００１１
【補正方法】変更
【補正の内容】
【００１１】
すなわち、請求項１に記載の発明は、上記目的を達成するために、所定の有効塩素濃度の次亜塩素酸を含みｐＨが３．０〜７．０に調整された薬液に、空気を前記薬液の液面に平行に吹き付けて、それによって前記空気中に次亜塩素酸を蒸散させ、得られた次亜塩素酸を含んだ空気を所定のエリアに送風して該エリアを除菌・消臭するように構成される。
請求項２に記載の発明は、請求項１に記載の除菌・消臭方法において、前記薬液は、直列に接続された複数槽の薬液槽を所定時間滞留させながら流下させ、前記空気は前記薬液の流れと反対方向から前記薬液槽の液面に平行に吹き付けるように構成される。
そして、請求項３に記載の発明は、請求項１または２に記載の除菌・消臭方法において、前記薬液を前記空気に接触させて得られた前記次亜塩素酸を含んだ空気を、空調機、加湿器または空気清浄機の送風口に供給して、前記次亜塩素酸を含んだ空気を前記送風口から送風される空気にブレンドして送風するように構成される。
【手続補正４】
【補正対象書類名】明細書
【補正対象項目名】００１２
【補正方法】変更
【補正の内容】
【００１２】
請求項４に記載の発明は、外部から空気を取り込む吸入口と外部に空気を送風する送風口が設けられた所定の薬剤蒸散室と、前記薬剤蒸散室内に設けられている薬液槽と、前記吸入口または前記送風口に設けられている送風機とから構成され、前記薬液槽には、所定の有効塩素濃度の次亜塩素酸を含みｐＨが３．０〜７．０に調整された薬液が入れられており、前記送風機が駆動されると、前記吸入口から吸入された空気は、前記薬液槽の液面に対して平行に吹き付けられて前記薬液と接触して、前記送風口から外部に送風されるように構成される。
また、請求項５に記載の発明は、外部から空気を取り込む吸入口と外部に空気を送風する送風口が設けられた所定の薬剤蒸散室と、前記薬剤蒸散室内に設けられている直列に接続された複数槽の薬液槽と、前記吸入口または前記送風口に設けられている送風機とから構成され、前記吸入口と前記送風口は、それぞれ前記複数槽の薬液槽の最下流の槽と最上流の槽の近傍に設けられ、前記送風機が駆動され、そして前記最上流の槽に所定の有効塩素濃度の次亜塩素酸を含みｐＨが３．０〜７．０に調整された薬液が供給されると、前記薬液は前記複数槽の薬液槽を所定の滞留時間を経て順次下流側に流れ、前記吸入口から吸入された空気は、前記薬液の流れと反対の方向に流れて前記複数槽の薬液槽の液面に対して平行に吹き付けられて前記薬液と接触して、前記送風口から外部に送風されるように構成される。
さらには、請求項６に記載の発明は、請求項４または５に記載の除菌・消臭装置において、前記送風口は、空調機、加湿器または空気清浄機の送風口近傍に設けられるように構成される。
【手続補正５】
【補正対象書類名】明細書
【補正対象項目名】００１３
【補正方法】変更
【補正の内容】
【００１３】
以上のように本発明によると、所定の有効塩素濃度の次亜塩素酸を含む薬液を空気に接触させるとき、空気を薬液の液面に平行に吹き付けて接触させるので、空気中に塩化ナトリウム、塩酸、塩素酸ナトリウム等の不純物は拡散しない。そして、薬液はｐＨが３．０〜７．０に調整されているので、薬液中には、分子状態の、すなわちイオン状態でない次亜塩素酸が所定の濃度で存在することになる。従って次亜塩素酸は効率よく蒸散されることになる。そうすると、実質的に次亜塩素酸だけが空気中に蒸散することになる。このようにして得られた次亜塩素酸を含んだ空気を所定のエリアに送風して該エリアを除菌・消臭するので、次のような効果が得られる。まず、病院・学校等の広い室内、または地下鉄のホーム、地下街等の一部が開放された空間のような所定のエリアであっても効率よく除菌・消臭することができる。そして、次亜塩素酸は人体に対する影響がほとんどないので、人がいるエリアに対しても除菌・消臭が可能である。さらには、塩化ナトリウム、塩酸等の金属類を錆びさせたり室内を汚染する物質や、塩素酸ナトリウム等の毒性の強い物質を外部に排出することがないので安全に除菌・消臭をすることができる。
【手続補正６】
【補正対象書類名】明細書
【補正対象項目名】００１４
【補正方法】変更
【補正の内容】
【００１４】
他の発明によると、薬液を前記空気に接触させるとき、薬液は直列に接続された複数槽の薬液槽を所定時間滞留させながら流下させ、空気は薬液の流れと反対方向から薬液槽の液面と平行に吹き付けるようにするので、シンプルな方法で空気に次亜塩素酸を蒸散させることができる。従って安価に除菌・消臭することができる。さらには、他の発明においては、これらの方法において、薬液を空気に接触させて得られた次亜塩素酸を含んだ空気を、空調機、加湿器または空気清浄機の送風口に供給して、次亜塩素酸を含んだ空気を送風口から送風される空気にブレンドして送風するように構成されている。このようにすると、空調機、加湿器または空気清浄機から送風される空気によって、部屋の隅々にまで除菌・消臭効果を有する次亜塩素酸を供給することができるので、効率よく除菌・消臭することが可能になる。
【手続補正書】
【提出日】平成22年6月23日(2010.6.23)
【手続補正１】
【補正対象書類名】特許請求の範囲
【補正対象項目名】全文
【補正方法】変更
【補正の内容】
【特許請求の範囲】
【請求項１】
所定の有効塩素濃度の次亜塩素酸を含みｐＨが３．０〜７．０に調整された薬液に、送風機によって空気を送り込んで前記薬液の液面に接するように平行に流し、前記空気中に次亜塩素酸を蒸散させ、得られた次亜塩素酸を含んだ空気を所定のエリアに送風して該エリアを除菌・消臭するとき、
前記エリアへの送風は、前記送風機によって送り込まれた空気をそのまま流すようにして実施することを特徴とする除菌・消臭方法。
【請求項２】
請求項１に記載の除菌・消臭方法において、前記薬液は、直列に接続された複数槽の薬液槽を所定時間滞留させながら流下させ、前記空気は前記薬液の流れと反対方向から前記薬液槽の液面に平行に吹き付けるようにして実施することを特徴とする除菌・消臭方法。
【請求項３】
請求項１または２に記載の除菌・消臭方法において、前記薬液を前記空気に接触させて得られた前記次亜塩素酸を含んだ空気を、空調機、加湿器または空気清浄機の送風口に供給して、前記次亜塩素酸を含んだ空気を前記送風口から送風される空気にブレンドして送風することを特徴とする除菌・消臭方法。
【請求項４】
外部から空気を取り込む吸入口と外部に空気を送風する送風口が設けられた所定の薬剤蒸散室と、前記薬剤蒸散室内に設けられている薬液槽と、前記吸入口に設けられている送風機とから構成され、
前記薬液槽には、所定の有効塩素濃度の次亜塩素酸を含みｐＨが３．０〜７．０に調整された薬液が入れられており、
前記送風機が駆動されると、前記吸入口から吸入された空気は、前記薬液槽の液面に対して平行に流れて前記薬液と接触して、前記送風口から外部に送風されることを特徴とする除菌・消臭装置。
【請求項５】
外部から空気を取り込む吸入口と外部に空気を送風する送風口が設けられた所定の薬剤蒸散室と、前記薬剤蒸散室内に設けられている直列に接続された複数槽の薬液槽と、前記吸入口に設けられている送風機とから構成され、
前記吸入口と前記送風口は、それぞれ前記複数槽の薬液槽の最下流の槽と最上流の槽の近傍に設けられ、
前記送風機が駆動され、そして前記最上流の槽に所定の有効塩素濃度の次亜塩素酸を含みｐＨが３．０〜７．０に調整された薬液が供給されると、前記薬液は前記複数槽の薬液槽を所定の滞留時間を経て順次下流側に流れ、前記吸入口から吸入された空気は、前記薬液の流れと反対の方向に前記複数槽の薬液槽の液面に対して平行に流れて前記薬液と接触して、前記送風口から外部に送風されることを特徴とする除菌・消臭装置。
【請求項６】
請求項４または５に記載の除菌・消臭装置において、前記送風口は、空調機、加湿器または空気清浄機の送風口近傍に設けられていることを特徴とする除菌・消臭装置。
【手続補正２】
【補正対象書類名】明細書
【補正対象項目名】００１１
【補正方法】変更
【補正の内容】
【００１１】
すなわち、請求項１に記載の発明は、上記目的を達成するために、所定の有効塩素濃度の次亜塩素酸を含みｐＨが３．０〜７．０に調整された薬液に、送風機によって空気を送り込んで前記薬液の液面に接するように平行に流し、前記空気中に次亜塩素酸を蒸散させ、得られた次亜塩素酸を含んだ空気を所定のエリアに送風して該エリアを除菌・消臭するとき、前記エリアへの送風は、前記送風機によって送り込まれた空気をそのまま流すようにして実施するように構成される。
請求項２に記載の発明は、請求項１に記載の除菌・消臭方法において、前記薬液は、直列に接続された複数槽の薬液槽を所定時間滞留させながら流下させ、前記空気は前記薬液の流れと反対方向から前記薬液槽の液面に平行に吹き付けるように構成される。
そして、請求項３に記載の発明は、請求項１または２に記載の除菌・消臭方法において、前記薬液を前記空気に接触させて得られた前記次亜塩素酸を含んだ空気を、空調機、加湿器または空気清浄機の送風口に供給して、前記次亜塩素酸を含んだ空気を前記送風口から送風される空気にブレンドして送風するように構成される。
【手続補正３】
【補正対象書類名】明細書
【補正対象項目名】００１２
【補正方法】変更
【補正の内容】
【００１２】
請求項４に記載の発明は、外部から空気を取り込む吸入口と外部に空気を送風する送風口が設けられた所定の薬剤蒸散室と、前記薬剤蒸散室内に設けられている薬液槽と、前記吸入口に設けられている送風機とから構成され、前記薬液槽には、所定の有効塩素濃度の次亜塩素酸を含みｐＨが３．０〜７．０に調整された薬液が入れられており、前記送風機が駆動されると、前記吸入口から吸入された空気は、前記薬液槽の液面に対して平行に流れて前記薬液と接触して、前記送風口から外部に送風されるように構成される。
また、請求項５に記載の発明は、外部から空気を取り込む吸入口と外部に空気を送風する送風口が設けられた所定の薬剤蒸散室と、前記薬剤蒸散室内に設けられている直列に接続された複数槽の薬液槽と、前記吸入口に設けられている送風機とから構成され、前記吸入口と前記送風口は、それぞれ前記複数槽の薬液槽の最下流の槽と最上流の槽の近傍に設けられ、前記送風機が駆動され、そして前記最上流の槽に所定の有効塩素濃度の次亜塩素酸を含みｐＨが３．０〜７．０に調整された薬液が供給されると、前記薬液は前記複数槽の薬液槽を所定の滞留時間を経て順次下流側に流れ、前記吸入口から吸入された空気は、前記薬液の流れと反対の方向に前記複数槽の薬液槽の液面に対して平行に流れて前記薬液と接触して、前記送風口から外部に送風されるように構成される。
さらには、請求項６に記載の発明は、請求項４または５に記載の除菌・消臭装置において、前記送風口は、空調機、加湿器または空気清浄機の送風口近傍に設けられるように構成される。